(57)【特許請求の範囲】
【請求項１】
複数の編成チャンネルを有して構成される物理チャンネルを順次選局するためのアップダウン操作手段の操作に基づき、物理チャンネルを選局する機能と、物理チャンネルと該物理チャンネルに対応させて編成チャンネルをプリセットする機能とを有するデジタル放送受信機であって、
前記アップダウン操作手段の操作に基づき選局した物理チャンネルがプリセットされている場合に、提示する編成チャンネルとして、前記アップダウン操作手段の操作に基づき選局した物理チャンネルに対応させてプリセットされている編成チャンネルを選択する特定編成チャンネル選択手段を備え、
前記アップダウン操作手段の操作に基づき選局した物理チャンネルがプリセットされていない場合に、前記特定編成チャンネル選択手段が、提示する編成チャンネルとして、前記アップダウン操作手段の操作に基づき選局した物理チャンネルに属する編成チャンネルのうち、プライマリサービスを選択することを特徴とするデジタル放送受信機。
【請求項２】
前記アップダウン操作手段の操作に基づき選局した物理チャンネルがプリセットされていない場合に、前記特定編成チャンネル選択手段が、提示する編成チャンネルとして、前記アップダウン操作手段の操作に基づき選局した物理チャンネルに属する編成チャンネルのうち、選局前に選択されていた階層と同一の階層で最もチャンネル番号が小さい編成チャンネルを選択することを特徴とする請求項１記載のデジタル放送受信機。
【請求項３】
前記アップダウン操作手段の操作に基づき選局した物理チャンネルが複数プリセットされている場合に、前記特定編成チャンネル選択手段が、提示する編成チャンネルとして、前記アップダウン操作手段の操作に基づき選局した複数プリセットされている物理チャンネルのうち、プリセット番号が最小の物理チャンネルに対応させてプリセットされている編成チャンネルを選択することを特徴とする請求項１又は２のいずれか１項記載のデジタル放送受信機。
【請求項４】
前記アップダウン操作手段の操作に基づき選局した物理チャンネルがプリセットされており、且つ該選局した物理チャンネルに対応させて編成チャンネルがプリセットされていない場合に、前記特定編成チャンネル選択手段が、提示する編成チャンネルとして、前記アップダウン操作手段の操作に基づき選局した物理チャンネルに属する編成チャンネルのうち、プライマリサービスを選択することを特徴とする請求項１から３のいずれか１項記載のデジタル放送受信機。
【請求項５】
前記アップダウン操作手段の操作に基づき選局した物理チャンネルがプリセットされており、且つ該選局した物理チャンネルに対応させて編成チャンネルがプリセットされていない場合に、前記特定編成チャンネル選択手段が、提示する編成チャンネルとして、前記アップダウン操作手段の操作に基づき選局した物理チャンネルに属する編成チャンネルのうち、選局前に選択されていた階層と同一の階層で最もチャンネル番号が小さい編成チャンネルを選択することを特徴とする請求項１から３のいずれか１項記載のデジタル放送受信機。
【請求項６】
前記アップダウン操作手段の操作に基づき選局した物理チャンネルがプリセットされており、且つ該選局した物理チャンネルに対応させてプリセットされている編成チャンネルが不適切であった場合に、前記特定編成チャンネル選択手段が、提示する編成チャンネルとして、前記アップダウン操作手段の操作に基づき選局した物理チャンネルに属する編成チャンネルのうち、プライマリサービスを選択することを特徴とする請求項１から５のいずれか１項記載のデジタル放送受信機。
【請求項７】
前記アップダウン操作手段の操作に基づき選局した物理チャンネルがプリセットされており、且つ該選局した物理チャンネルに対応させてプリセットされている編成チャンネルが不適切であった場合に、前記特定編成チャンネル選択手段が、提示する編成チャンネルとして、前記アップダウン操作手段の操作に基づき選局した物理チャンネルに属する編成チャンネルのうち、選局前に選択されていた階層と同一の階層で最もチャンネル番号が小さい編成チャンネルを選択することを特徴とする請求項１から５のいずれか１項記載のデジタル放送受信機。
【請求項８】
さらに選局前に選択されていた階層と同一の階層で最もチャンネル番号が小さい編成チャンネルで放送が休止していた場合に、前記特定編成チャンネル選択手段が、提示する編成チャンネルとして、前記アップダウン操作手段の操作に基づき選局した物理チャンネルに属する編成チャンネルのうち、プライマリサービスを選択することを特徴とする請求項２、５または７のいずれか１項記載のデジタル放送受信機。
【発明の詳細な説明】
【技術分野】
【０００１】
本発明はデジタル放送受信機に関し、特に複数の編成チャンネル（以下、単にＣＨとも称す）を有して構成される物理ＣＨを選局した際に提示する編成ＣＨを選択するためのデジタル放送受信機に関する。
【背景技術】
【０００２】
近年、デジタル放送が行われている。デジタル放送としては例えばＢＳデジタル放送のほか地上波デジタル放送なども開始されている。デジタル放送では一つの放送局が複数の放送を同時に行うことができ、一つの放送局に対応する物理ＣＨは複数の編成ＣＨを有して構成されている。図９は物理ＣＨの構成を模式的に示す図である。図９において、Ｕ１３、Ｕ１４、Ｕ１５が物理ＣＨのＣＨ番号である。また３桁の数字で示される０１１、０１２等が編成ＣＨのＣＨ番号である。フルセグは３つの編成ＣＨからなる階層を３階層有して構成されており、ここではその３つの階層のうち、１つの階層を示している。ワンセグは３つの編成ＣＨからなる階層を１階層有して構成されており、ここではその３つの編成ＣＨのうち、１つの編成ＣＨを示している。ある物理ＣＨに属する編成ＣＨのうち、ＣＨ番号が最も小さい編成ＣＨをプライマリサービスと称す。
【０００３】
デジタル放送では一つの放送局が上記のような複数の編成ＣＨを利用した放送を行える。このため例えばプライマリサービスで放送していた野球の試合が長引いた場合、プライマリサービスでは予定通りの番組を放送するとともに、他の編成ＣＨで引き続き野球中継を行うことができる。また例えばプライマリサービスでは全国向けの番組放送を行うとともに、他の編成ＣＨではローカル向けの番組放送を行うことなどもできる。
【０００４】
ところで、ユーザが物理ＣＨを選局した際には、選局した物理ＣＨに属する編成ＣＨのうちから、いずれかの編成ＣＨを選択して提示する必要がある。これに対して特許文献１では、放送局を順次選局するためのアップダウンキーが操作されたときに、それぞれの放送局における複数チャンネルの内の特定の１チャンネルのみを順次切り換えるように構成したデジタル放送受信機が提案されている。また、放送局は一般に編成ＣＨのうち、プライマリサービスをメインのチャンネルとして放送を行うため、プライマリサービスでは放送が休止している可能性が低いといえる。このため特許文献１が提案するデジタル放送受信機では、さらに上記特定の１チャンネルをそれぞれの放送局内のチャンネルの内、最も番号の小さいチャンネルとすることが提案されている。
【０００５】
【特許文献１】特開２００１−００８１１７号公報
【発明の開示】
【発明が解決しようとする課題】
【０００６】
特許文献１が提案する技術によれば、物理ＣＨを選局した際に、選局した物理ＣＨに属する特定の１チャンネル（特に放送が休止している可能性が低いプライマリサービス）のみが表示されるため、利便性としては合理的であると考えられる。しかしながら、物理ＣＨに属する複数の編成ＣＨは、編成ＣＨや階層毎に異なる特色を有している。このため、ユーザによっては通常はプライマリサービス以外の編成ＣＨを利用したいという場合もあり、さらに物理ＣＨ毎に特色が異なる編成ＣＨを利用したいという場合も十分考えられる。しかしながら、特許文献１が提案する技術ではプライマリサービスなど特定の１チャンネルがまず表示されるため、上記のようなユーザはその後、さらに所望の編成ＣＨを選局するための操作を行わなければならなくなる点で不便さを感じる虞があった。
【０００７】
そこで本発明は上記の課題に鑑みてなされたものであり、物理ＣＨを選局した際に提示する編成ＣＨを好適に選択し、ユーザに係る利便性を向上させることができるデジタル放送受信機を提供することを目的とする。
【課題を解決するための手段】
【０００８】
上記課題を解決するために本発明は複数の編成チャンネルを有して構成される物理チャンネルを順次選局するためのアップダウン操作手段の操作に基づき、物理チャンネルを選局する機能と、物理チャンネルと該物理チャンネルに対応させて編成チャンネルをプリセットする機能とを有するデジタル放送受信機であって、前記アップダウン操作手段の操作に基づき選局した物理チャンネルがプリセットされている場合に、提示する編成チャンネルとして、前記アップダウン操作手段の操作に基づき選局した物理チャンネルに対応させてプリセットされている編成チャンネルを選択する特定編成チャンネル選択手段を備え、前記アップダウン操作手段の操作に基づき選局した物理チャンネルがプリセットされていない場合に、前記特定編成チャンネル選択手段が、提示する編成チャンネルとして、前記アップダウン操作手段の操作に基づき選局した物理チャンネルに属する編成チャンネルのうち、プライマリサービスを選択することを特徴とする。
【０００９】
本発明によれば、物理ＣＨが選局された際に、選局した物理ＣＨに対応させてプリセットされている編成ＣＨが選択されるので、ユーザは所望の編成ＣＨを素早く利用できる。これによりユーザはさらに編成ＣＨを選択するための操作を行わずに済むようになることから、本発明によればユーザに係る利便性を向上させることができる。なお、本発明は物理ＣＨを選局した際に、ユーザが所望の編成ＣＨを素早く利用できるように構成されている点で、特許文献１が提案する技術とは技術的思想が異なるものと考える。またこのように構成したことに関連し、本発明は以下に示すように物理ＣＨを選局した際に必ずしも本発明で選択されるべき編成ＣＨが常に選択されるわけではない点で、特定の１チャンネルのみを順次切り換えるように構成した特許文献１が提案する技術とは構成上も異なるものと考える。
【００１０】
また、選局した物理ＣＨがプリセットされていない場合には、例えば本発明のように一般に利用頻度が高いと考えられるプライマリサービスを選択するようにすれば、利便性として合理的である。
【００１１】
また本発明は前記アップダウン操作手段の操作に基づき選局した物理チャンネルがプリセットされていない場合に、前記特定編成チャンネル選択手段が、提示する編成チャンネルとして、前記アップダウン操作手段の操作に基づき選局した物理チャンネルに属する編成チャンネルのうち、選局前に選択されていた階層と同一の階層で最もチャンネル番号が小さい編成チャンネルを選択してもよい。また選局した物理ＣＨがプリセットされていない場合には、例えば本発明のようにすれば続けて同じ階層の編成ＣＨをユーザに提示でき、これにより所望の編成ＣＨとして同じような特色の編成ＣＨをユーザに提示できる点で、利便性を向上させることができる。
【００１２】
また本発明は前記アップダウン操作手段の操作に基づき選局した物理チャンネルが複数プリセットされている場合に、前記特定編成チャンネル選択手段が、提示する編成チャンネルとして、前記アップダウン操作手段の操作に基づき選局した複数プリセットされている物理チャンネルのうち、プリセット番号が最小の物理チャンネルに対応させてプリセットされている編成チャンネルを選択してもよい。また物理ＣＨが複数プリセットされている場合には、例えば本発明のようにプリセット番号が最小の物理ＣＨに対応させてプリセットされている編成チャンネルを選択することとすれば、ユーザがこれに応じた優先順位で予めプリセットを行うことで、所望の編成ＣＨを素早く利用できるようになる。これによりユーザは編成ＣＨを選択するための操作をさらに行わずに済むようになることから、本発明によればユーザに係る利便性を向上させることができる。
【００１３】
また本発明は前記アップダウン操作手段の操作に基づき選局した物理チャンネルがプリセットされており、且つ該選局した物理チャンネルに対応させて編成チャンネルがプリセットされていない場合に、前記特定編成チャンネル選択手段が、提示する編成チャンネルとして、前記アップダウン操作手段の操作に基づき選局した物理チャンネルに属する編成チャンネルのうち、プライマリサービスを選択してもよい。また選局した物理ＣＨに対応させて編成ＣＨがプリセットされていない場合には、例えば本発明のようにプライマリサービスを選択するようにすれば、利便性として合理的である。
【００１４】
また本発明は前記アップダウン操作手段の操作に基づき選局した物理チャンネルがプリセットされており、且つ該選局した物理チャンネルに対応させて編成チャンネルがプリセットされていない場合に、前記特定編成チャンネル選択手段が、提示する編成チャンネルとして、前記アップダウン操作手段の操作に基づき選局した物理チャンネルに属する編成チャンネルのうち、選局前に選択されていた階層と同一の階層で最もチャンネル番号が小さい編成チャンネルを選択してもよい。また選局した物理ＣＨに対応させて編成ＣＨがプリセットされていない場合には、例えば本発明のようにすれば、所望の編成ＣＨとして同じような特色の編成ＣＨをユーザに提示できる点で、利便性を向上させることができる。
【００１５】
また本発明は前記アップダウン操作手段の操作に基づき選局した物理チャンネルがプリセットされており、且つ該選局した物理チャンネルに対応させてプリセットされている編成チャンネルが不適切であった場合に、前記特定編成チャンネル選択手段が、提示する編成チャンネルとして、前記アップダウン操作手段の操作に基づき選局した物理チャンネルに属する編成チャンネルのうち、プライマリサービスを選択してもよい。また選局した物理ＣＨに対応させてプリセットされている編成ＣＨが不適切であった場合（選局した物理ＣＨに属する編成ＣＨでなかった場合や、プリセットされている編成ＣＨで放送が休止していた場合）には、例えば本発明のようにプライマリサービスを選択するようにすれば、利便性として合理的である。
【００１６】
また本発明は前記アップダウン操作手段の操作に基づき選局した物理チャンネルがプリセットされており、且つ該選局した物理チャンネルに対応させてプリセットされている編成チャンネルが不適切であった場合に、前記特定編成チャンネル選択手段が、提示する編成チャンネルとして、前記アップダウン操作手段の操作に基づき選局した物理チャンネルに属する編成チャンネルのうち、選局前に選択されていた階層と同一の階層で最もチャンネル番号が小さい編成チャンネルを選択してもよい。また選局した物理ＣＨに対応させてプリセットされている編成ＣＨが不適切であった場合、例えば本発明のようにすれば、所望の編成ＣＨとして同じような特色の編成ＣＨをユーザに提示できる点で、利便性を向上させることができる。
【００１７】
また本発明はさらに選局前に選択されていた階層と同一の階層で最もチャンネル番号が小さい編成チャンネルで放送が休止していた場合に、前記特定編成チャンネル選択手段が、提示する編成チャンネルとして、前記アップダウン操作手段の操作に基づき選局した物理チャンネルに属する編成チャンネルのうち、プライマリサービスを選択してもよい。さらに選局前に選択されていた階層と同一の階層で最もチャンネル番号が小さい編成チャンネルで放送が休止していた場合には、本発明のようにプライマリサービスを選択するようにすれば、利便性として合理的である。
【００１８】
なお、選局前に選択されていた階層は情報として保持することができ、プライマリサービスが属する階層とは異なる階層が選択されているときに物理ＣＨを選局し、この結果、プライマリサービスが選択されるとともに、階層が異なる階層に切り換わった場合には、選局前に選択されていた階層の情報をプライマリサービスが属する階層に更新しなくてもよい。これにより、一度プライマリサービスが選択された後に物理ＣＨの選局を行った場合に、所望の編成ＣＨとしてプライマリサービスが選択される前と同じような特色の編成ＣＨをユーザに提示することができる。
【発明の効果】
【００１９】
本発明によれば、物理ＣＨを選局した際に提示する編成ＣＨを好適に選択し、ユーザに係る利便性を向上させることができるデジタル放送受信機を提供できる。
【発明を実施するための最良の形態】
【００２０】
以下、本発明を実施するための最良の形態を図面と共に詳細に説明する。
【実施例１】
【００２１】
図１はデジタル放送受信機１００Ａの構成を模式的に示す図である。アンテナ１はデジタル放送波を受信するための構成であり、アンテナ１が受信したデジタル放送波はチューナ部２を介して復調部３に入力される。復調部３は変調されていた信号を復調するための構成である。復号部４は復調した信号をデジタル音声やデジタル映像などのコンテンツデータに復号するための構成である。制御部５は選局の制御や、番組情報、プリセット情報の管理や制御を行うための構成であり、ＣＰＵ（Central Processing Unit：中央演算処理装置）で実現されている。メモリ６は制御部５用のメモリであり、プリセット情報など制御部５の制御に関連する種々の情報を保持するための構成である。情報処理部７はユーザインターフェイス制御や、画面表示の制御を行うための構成であり、ＣＰＵで実現されている。メモリ８は情報処理部７用のメモリであり、設定情報や画面表示情報などを保持するための構成である。
【００２２】
入力部９はタッチパネル２０やリモコン３０などで構成される入力インターフェイスである。映像合成部１０は放送コンテンツ映像と情報処理部７によるオンスクリーン表示とを合成するための構成である。Ｄ／Ａ部１１はデジタル音声をアナログ音声へ変換するための構成であり、Ｄ／Ａ部１２はデジタル映像をアナログ映像へ変換するための構成である。音声出力部１３はアンプ、スピーカなどで構成されており音声の出力を行う。映像出力部１４はモニタなどの映像出力装置で構成されており映像の出力を行う。
【００２３】
次にこのデジタル放送受信機１００Ａが備える選局機能とプリセット機能について詳述する。図２は入力部９を構成するタッチパネル２０の一例を模式的に示す図である。また図３は入力部９を構成するリモコン３０の一例を模式的に示す図である。タッチパネル２０、リモコン３０はともにプリセット選局キー、物理ＣＨアップダウン操作手段としての物理ＣＨアップダウンキー、サービス切換キー及びモード切換キーを有して構成されている。
【００２４】
プリセット選局キーはプリセットされている物理ＣＨを直接的にプリセットコールする操作を行うためのキーである。物理ＣＨアップダウンキーは物理ＣＨを順次選局する操作を行うためのキーである。サービス切換キーは選局した物理ＣＨに属する編成ＣＨを切り換える操作を行うためのキーである。モード切換キーは受信する階層を切り換えるためのキーであり、主に部分受信階層とそれ以外の階層との切り換えに使用される。制御部５はプリセット選局キーの操作と物理ＣＨアップダウンキーの操作に基づき、物理ＣＨを選局する制御を行う。
【００２５】
図４はプリセット情報の一例を模式的に示す図である。プリセット情報にはプリセットＮｏ（プリセット選局キーのＮｏ）に対応させて物理ＣＨがプリセットされており、さらにプリセットされた物理ＣＨに対応させて編成ＣＨがプリセットされている。また編成ＣＨとしてはフルセグとワンセグの編成ＣＨが夫々プリセットされている。例えばプリセット選局キーを操作してプリセットＮｏ１をコールすると、フルセグ視聴中の場合には０４２ｃｈがユーザに提示され、ワンセグ視聴中の場合には６４１ｃｈがユーザに提示される。プリセット情報にはユーザが任意に編成ＣＨをプリセットでき、このとき登録した編成ＣＨが属する物理ＣＨも同時にプリセットできる。したがってプリセット選局キーを操作することで、ユーザは所望の編成ＣＨを直接的に素早く呼び出すことできる。
【００２６】
図１に戻り、メモリ６は物理ＣＨアップダウンキーの操作に基づき選局した物理ＣＨがプリセットされている場合に、提示する編成ＣＨとして、物理ＣＨアップダウンキーの操作に基づき選局した物理ＣＨに対応させてプリセットされている編成ＣＨを選択する特定編成ＣＨ選択用プログラムを格納している。本実施例ではこの特定編成ＣＨ選択用プログラムに基づき、制御部５が処理を行うことで特定編成チャンネル選択手段が実現される。なお、特定編成ＣＨ選択用プログラムやプリセット情報は例えばメモリ８に格納されていてもよく、このときメモリ８に格納された特定編成ＣＨ選択用プログラムに基づき情報処理部７が処理を行うことで特定編成チャンネル選択手段が実現されてもよい。
【００２７】
また特定編成ＣＨ選択用プログラムは、さらに以下に示すように作成されている。特定編成ＣＨ選択用プログラムは、物理ＣＨアップダウンキーの操作に基づき選局した物理ＣＨがプリセットされていない場合には、提示する編成ＣＨとして、物理ＣＨアップダウンキーの操作に基づき選局した物理ＣＨに属する編成ＣＨのうち、プライマリサービスを選択するように作成されている。また特定編成ＣＨ選択用プログラムは、物理ＣＨアップダウンキーの操作に基づき選局した物理ＣＨが複数プリセットされている場合には、提示する編成ＣＨとして、物理ＣＨアップダウンキーの操作に基づき選局した複数プリセットされている物理ＣＨのうち、プリセット番号が最小の物理ＣＨに対応させてプリセットされている編成ＣＨを選択するように作成されている。
【００２８】
また特定編成ＣＨ選択用プログラムは、物理ＣＨアップダウンキーの操作に基づき選局した物理ＣＨがプリセットされており、且つこの選局した物理ＣＨに対応させて編成ＣＨがプリセットされていない場合には、提示する編成ＣＨとして、物理ＣＨアップダウンキーの操作に基づき選局した物理ＣＨに属する編成ＣＨのうち、プライマリサービスを選択するように作成されている。さらに特定編成ＣＨ選択用プログラムは、物理ＣＨアップダウンキーの操作に基づき選局した物理ＣＨがプリセットされており、且つ選局した物理ＣＨに対応させてプリセットされている編成ＣＨが不適切であった場合には、提示する編成ＣＨとして、物理ＣＨアップダウンキーの操作に基づき選局した物理ＣＨに属する編成ＣＨのうち、プライマリサービスを選択するように作成されている。
【００２９】
図５はフルセグ視聴中に物理ＣＨアップダウンキーを操作した際の動作の具体例を模式的に示す図である。現在の物理ＣＨがＵ１３ｃｈになっている状態で物理ＣＨアップダウンキーを操作して物理ＣＨを複数回アップさせると、順次選局が行われる結果、Ｕ１８ｃｈが選局されたとする。このとき選局したＵ１８ｃｈはプリセット情報にプリセットされている。このため提示する編成ＣＨとしては、選局したＵ１８ｃｈに対応させてプリセットされている０４２ｃｈが選択される。続いて物理ＣＨを１回アップさせると、Ｕ１９ｃｈが選局される。このとき選局したＵ１９ｃｈはプリセット情報にプリセットされていない。このため提示する編成ＣＨとしては、選局したＵ１９ｃｈに属する編成ＣＨのうち、プライマリサービスが選択される。
【００３０】
続いて物理ＣＨを１回アップさせると、Ｕ２０ｃｈが選局される。このとき選局したＵ２０ｃｈはプリセット情報に複数プリセットされている。このため提示する編成ＣＨとしては、複数プリセットされているＵ２０ｃｈのうち、プリセット番号が最も小さいＵ２０ｃｈ（ここではプリセットＮｏ５にプリセットされているＵ２０ｃｈ）に対応させてプリセットされている０６３ｃｈが選択される。続いて物理ＣＨを１回アップさせると、Ｕ２１ｃｈが選局される。このとき選局したＵ２１ｃｈはプリセット情報にプリセットされているが、編成ＣＨはこのＵ２１ｃｈに対応させてプリセットされていない。このため提示する編成ＣＨとしては、選局したＵ２１ｃｈに属する編成ＣＨのうち、プライマリサービスが選択される。
【００３１】
続いて物理ＣＨを複数回アップさせると、順次選局が行われる結果、Ｕ６２ｃｈが選局されたとする。選局したＵ６２ｃｈはプリセット情報にプリセットされているが、このＵ６２ｃｈに対応させてプリセットされている０８１ｃｈはＵ６２ｃｈに属する編成ＣＨではなく、不適切な編成ＣＨとなっている。このため提示する編成ＣＨとしては、選局したＵ６２ｃｈに属する編成ＣＨのうち、プライマリサービスが選択される。このようにユーザが任意にプリセットした編成ＣＨをプリセット選局キーを操作したときだけでなく、物理ＣＨアップダウンキーを操作したときにも優先して選択することで、ユーザが所望の編成ＣＨを素早く利用できる。
【００３２】
次にデジタル放送受信機１００Ａの動作を図６に示すフローチャートを用いて詳述する。ユーザが物理ＣＨアップダウンキーによる選局操作を行うと（ステップＳ１１）、デジタル放送受信機１００Ａは選局した物理ＣＨを受信する（ステップＳ１２）。続いてデジタル放送受信機１００Ａでは選局した物理ＣＨがプリセットされているか否かが判定される（ステップＳ１３）。なお、選局した物理ＣＨが複数プリセットされている場合には、本ステップで複数プリセットしていることまで判定される。否定判定であれば、デジタル放送受信機１００Ａでは表示すべき編成ＣＨとして、プライマリサービスを選択する（ステップＳ２０）。一方、ステップＳ１３で肯定判定であれば、さらにプリセットされている放送局と受信した放送局とが同一か否かが判定される（ステップＳ１４）。すなわち本ステップではプリセットされている編成ＣＨが、受信した物理ＣＨに属するものであるか否かと、選局した物理ＣＨに対応させて編成ＣＨがプリセットされているか否かが判定される。否定判定であればステップＳ２０に進む。
【００３３】
一方、ステップＳ１４で肯定判定であれば、選局した物理ＣＨに対応させてプリセットされている編成ＣＨの情報を取得する（ステップＳ１５）。なお、選局した物理ＣＨが複数プリセットされている場合には、本ステップでプリセットＮｏが最小の物理ＣＨに対応させてプリセットされている編成ＣＨの情報を取得する。続いてデジタル放送受信機１００Ａでは情報を取得した編成ＣＨを選局できるか否かが判定される（ステップＳ１６）。すなわち本ステップでは情報を取得した編成ＣＨで放送が行われているか否かが判定される。否定判定であればステップＳ２０に進む。
【００３４】
一方、ステップＳ１６で肯定判定であれば、提示する編成ＣＨとして、選局した物理ＣＨに対応させてプリセットされている編成ＣＨが選択されるとともに、ユーザに提示される（ステップＳ１７）。なお、選局した物理ＣＨが複数プリセットされている場合には、本ステップでプリセットＮｏが最小の物理ＣＨに対応させてプリセットされている編成ＣＨが選択及び提示される。以上により、物理ＣＨを選局した際に提示する編成ＣＨを好適に選択し、ユーザに係る利便性を向上させることができるデジタル放送受信機１００Ａを実現できる。
【実施例２】
【００３５】
本実施例に係るデジタル放送受信機１００Ｂは、メモリ６が実施例１で前述した特定編成ＣＨ選択用プログラムの代わりに、以下に示すように作成された特定編成ＣＨ選択用プログラムを格納している点以外、デジタル放送受信機１００Ａと同一のものとなっている。本実施例では以下に示すように作成された特定編成ＣＨ選択用プログラムに基づき、制御部５が処理を行うことで特定編成チャンネル選択手段が実現される。次に本実施例に係る特定編成ＣＨ選択用プログラムについて詳述する前に物理ＣＨの構成の詳細について図７を用いて説明する。
【００３６】
物理ＣＨは図７に示すように複数の編成ＣＨを有して構成されており、また物理ＣＨはフルセグとワンセグで構成されている。また図７において、ＣＨ番号が表示されている編成ＣＨでは放送が行われていることを示している。フルセグは３つの編成ＣＨからなる３つの階層（ＴＶサービス、データサービス１及びデータサービス２）を有して構成されており、ワンセグは３つの編成ＣＨからなる１つの階層（データサービス）を有して構成されている。すなわち、編成ＣＨは階層毎にＴＶサービスやデータサービス１といったように異なる特色を有している。なお、図中矢印で示すようにある物理ＣＨに属する編成ＣＨのうち、ＣＨ番号が最も小さい編成ＣＨがプライマリサービスとなっている。
【００３７】
次に本実施例に係る特定編成ＣＨ選択用プログラムについて詳述する。本実施例に係る特定編成ＣＨ選択用プログラムも実施例１で前述した特定編成ＣＨ選択用プログラムと同様に、物理ＣＨアップダウンキーの操作に基づき選局した物理ＣＨがプリセットされている場合に、提示する編成ＣＨとして、物理ＣＨアップダウンキーの操作に基づき選局した物理ＣＨに対応させてプリセットされている編成ＣＨを選択するように作成されている。また本実施例に係る特定編成ＣＨ選択用プログラムも、物理ＣＨアップダウンキーの操作に基づき選局した物理ＣＨが複数プリセットされている場合には、提示する編成ＣＨとして、物理ＣＨアップダウンキーの操作に基づき選局した複数プリセットされている物理ＣＨのうち、プリセット番号が最小の物理ＣＨに対応させてプリセットされている編成ＣＨを選択するように作成されている。
【００３８】
一方、本実施例に係る特定編成ＣＨ選択用プログラムは、物理ＣＨアップダウンキーの操作に基づき選局した物理ＣＨがプリセットされていない場合には、提示する編成ＣＨとして、物理ＣＨアップダウンキーの操作に基づき選局した物理ＣＨに属する編成ＣＨのうち、選局前に選択されていた階層と同一の階層で最もＣＨ番号が小さい編成ＣＨを選択するように作成されている。また本実施例に係る特定編成ＣＨ選択用プログラムは、物理ＣＨアップダウンキーの操作に基づき選局した物理ＣＨがプリセットされており、且つこの選局した物理ＣＨに対応させて編成ＣＨがプリセットされていない場合には、提示する編成ＣＨとして、物理ＣＨアップダウンキーの操作に基づき選局した物理ＣＨに属する編成ＣＨのうち、選局前に選択されていた階層と同一の階層で最もＣＨ番号が小さい編成ＣＨを選択するように作成されている。
【００３９】
また本実施例に係る特定編成ＣＨ選択用プログラムは、物理ＣＨアップダウンキーの操作に基づき選局した物理ＣＨがプリセットされており、且つこの選局した物理ＣＨに対応させてプリセットされている編成ＣＨが不適切であった場合に、提示する編成ＣＨとして、物理ＣＨアップダウンキーの操作に基づき選局した物理ＣＨに属する編成ＣＨのうち、選局前に選択されていた階層と同一の階層で最もＣＨ番号が小さい編成ＣＨを選択するように作成されている。また本実施例に係る特定編成ＣＨ選択用プログラムは、さらに選局前に選択されていた階層と同一の階層で最もＣＨ番号が小さい編成ＣＨで放送が休止していた場合には、提示する編成ＣＨとして、物理ＣＨアップダウンキーの操作に基づき選局した物理ＣＨに属する編成ＣＨのうち、プライマリサービスを選択するように作成されている。
【００４０】
なお、選局前に選択されていた階層は情報としてメモリ６に保持されており、この情報は階層が異なる階層に切り換わる毎に更新される。但し、プライマリサービスが属する階層（ここではＴＶサービス）とは異なる階層（例えばデータサービス１）が選択されているときに物理ＣＨを選局し、この結果、プライマリサービスが選択され、同時に階層が異なる階層（すなわちＴＶサービス）に切り換わった場合、本実施例では選局前に選択されていた階層（すなわちデータサービス１）の情報が、プライマリサービスが属する階層（すなわちＴＶサービス）に更新されないようになっている。これにより、一度プライマリサービスが選択された後に物理ＣＨの選局を行った場合に、所望の編成ＣＨとしてプライマリサービスが選択される前と同じような特色の編成ＣＨをユーザに提示することができる。
【００４１】
次にデジタル放送受信機１００Ｂの動作を図８に示すフローチャートを用いて詳述する。なお、本フローチャートはステップＳ１８及びＳ１９が追加されている点以外、図６に示すフローチャートと同一のものとなっている。このため本実施例では特にステップＳ１８及びＳ１９について詳述する。ステップＳ１３、Ｓ１４またはＳ１６で否定判定であった場合には、デジタル放送受信機１００Ｂでは同じ階層でＣＨ番号が最も小さい編成ＣＨを選局できるか否かが判定される（ステップＳ１８）。すなわち、本ステップで選局前に選択されていた階層と同一の階層でＣＨ番号が最も小さい編成ＣＨで放送が行われているか否かが判定される。否定判定であればステップＳ２０に進む。
【００４２】
一方、ステップＳ１８で肯定判定であった場合には、デジタル放送受信機１００Ｂでは、選局前に選択されていた階層と同一の階層でＣＨ番号が最も小さい編成ＣＨが選択されるとともに、ユーザに提示される。これにより、所望の編成ＣＨとして同じような特色の編成ＣＨをユーザに提示できる点で、利便性を向上させることができる。以上により、物理ＣＨを選局した際に提示する編成ＣＨを好適に選択し、ユーザに係る利便性を向上させることができるデジタル放送受信機１００Ｂを実現できる。
【００４３】
上述した実施例は本発明の好適な実施の例である。但し、これに限定されるものではなく、本発明の要旨を逸脱しない範囲内において種々変形実施可能である。例えばプリセット情報は、ユーザが任意にプリセットした物理ＣＨ及び編成ＣＨが既にプリセットされている状態であることが好適であるが、その前の段階として受信可能な放送が行われている物理ＣＨ及び編成ＣＨとしてシークされた物理ＣＨ及び編成ＣＨがプリセットされた状態であってもよく、またこれに対してユーザが物理ＣＨ及び編成ＣＨを部分的にプリセットした状態であってもよい。
【図面の簡単な説明】
【００４４】
【図１】デジタル放送受信機１００Ａの構成を模式的に示す図である。
【図２】入力部９を構成するタッチパネル２０の一例を模式的に示す図である。
【図３】入力部９を構成するリモコン３０の一例を模式的に示す図である。
【図４】プリセット情報の一例を模式的に示す図である。
【図５】物理ＣＨアップダウンキーを操作した際の動作の具体例を模式的に示す図である。
【図６】デジタル放送受信機１００Ａの動作をフローチャートで示す図である。
【図７】物理ＣＨの構成の詳細を模式的に示す図である。
【図８】デジタル放送受信機１００Ｂの動作をフローチャートで示す図である。
【図９】物理ＣＨの構成を模式的に示す図である。
【符号の説明】
【００４５】
５  制御部
６  メモリ
９  入力部
２０  タッチパネル
３０  リモコン
１００Ａ  デジタル放送受信機
【図１】
0005159221.tif 000002
【図２】
0005159221.tif 000003
【図３】
0005159221.tif 000004
【図４】
0005159221.tif 000005
【図５】
0005159221.tif 000006
【図６】
0005159221.tif 000007
【図７】
0005159221.tif 000008
【図８】
0005159221.tif 000009
【図９】
0005159221.tif 000010